(57)【要約】【課題】網の部分が破られても外部から手を侵入させてロックを解除しにくく、さらに防犯用網戸としてだけでなく網戸全体をデザインされたインテリアやエクステリアとして利用可能な網戸を提供する。【解決手段】網戸１９の室内側にガラス戸３０の回動あるいは摺動を固定するハンドルロック２７を有する防犯窓１０において、該網戸１９の該ハンドルロック２７付近に、金属製あるいは樹脂製の侵入規制部材を設けた。さらに、前記侵入規制部材は面状の防犯意匠パネル２４ａ、若しくは直線形状あるいは曲線形状の防犯部材４１・４１・・・とした。また、前記防犯窓１０全体に格子状、直線状あるいは曲線状の棒状部材により自由度の高いデザインを施した。【選択図】図２
2008163549.tif 000002
【特許請求の範囲】
【請求項１】
窓枠に対して回動あるいは摺動することにより開閉可能に配設されたガラス戸と、
該ガラス戸の室内側に該窓枠に対して固定された網戸と、を具備する防犯窓において、
該網戸の室内側に該ガラス戸の回動あるいは摺動を固定するロック機構を設け、
該網戸の該ロック機構付近に侵入規制部材を設けたことを特徴とする防犯窓。
【請求項２】
窓枠に対して回動あるいは摺動することにより開閉可能に配設された網戸を具備する防犯窓において、
該網戸の室内側に該網戸を閉状態にして固定するロック機構を設け、
該網戸の該ロック機構付近に侵入規制部材を設けたことを特徴とする防犯窓。
【請求項３】
前記侵入規制部材を面状部材とし、
前記網戸の網と略同一面上に、水平及び鉛直方向に組み合わせた複数の棒状部材を配置し、
該棒状部材によって仕切られた区画の一つに、該面状部材を該網と平行に配設した、
請求項１若しくは請求項２に記載の防犯窓。
【請求項４】
前記面状部材を樹脂製あるいは強化ガラス製とし、
該面状部材に彩色あるいは模様等を施した、
請求項３に記載の防犯窓。
【請求項５】
前記面状部材を金属製とし、
該面状部材にパンチング孔を穿孔した、
請求項３に記載の防犯窓。
【請求項６】
前記棒状部材によって仕切られた２箇所以上の区画に、前記面状部材を配設した、
請求項３乃至請求項５のいずれか一項に記載の防犯窓。
【請求項７】
前記侵入規制部材を直線形状あるいは曲線形状の棒状部材とし、
前記網戸の網と略同一面内に配設し、
該棒状部材の一部を前記ロック機構付近に配置した、
請求項１若しくは請求項２に記載の防犯窓。
【請求項８】
前記棒状部材の形状を流線型とし、若しくは様々なモチーフ形状とした、
請求項７に記載の防犯窓。
【発明の詳細な説明】
【技術分野】
【０００１】
本発明は窓の防犯機能に関し、詳しくは、網部分を破られても外部からの侵入を防ぎ、かつデザイン自由度の高い網戸を具備する防犯窓の技術に関する。
【背景技術】
【０００２】
近年の防犯意識の高まりによって、窓やドアといった開口部分そのものだけでなく、その周辺部の防犯機能の高度化が求められている。例えば、室内の換気を行う場合や夏の就寝時などは一定時間窓を開放して網戸のみを閉めておくということがある。しかし従来の網戸は、虫の侵入を防ぐのみで防犯機能が乏しく、不審者に外部から容易に侵入される虞があった。そのような不安を取り除く目的で、防犯性能の高い網戸を具備した窓の需要が高まっている。
前記の課題を解決する手段として、金属板に貫通孔を多数設けて網戸に取り付ける技術や、網戸に面格子を取り付ける技術が公知となっている(例えば、特許文献１及び特許文献２参照。)。
【特許文献１】実用新案登録第３０８７１９５号公報
【特許文献２】特開２００１−７３６５１号公報
【発明の開示】
【発明が解決しようとする課題】
【０００３】
しかし前記の従来技術等では、特許文献１と特許文献２のいずれの技術においても、屋外からの外観に対しては意匠性を有しているが、室内のインテリアとしては充分機能するものではなく、デザインの自由度についても制約が大きかった。
本発明は上記の課題を解決するために、防犯性能を高めた上で、さらに窓全体をデザインされたインテリアやエクステリアとして利用可能な防犯窓を提供するものである。
【課題を解決するための手段】
【０００４】
本発明の解決しようとする課題は以上の如くであり、次にこの課題を解決するための手段を説明する。
【０００５】
即ち、請求項１においては、窓枠に対して回動あるいは摺動することにより開閉可能に配設されたガラス戸と、該ガラス戸の室内側に該窓枠に対して固定された網戸と、を具備する防犯窓において、該網戸の室内側に該ガラス戸の回動あるいは摺動を固定するロック機構を設け、該網戸の該ロック機構付近に侵入規制部材を設けたものである。
【０００６】
請求項２においては、窓枠に対して回動あるいは摺動することにより開閉可能に配設された網戸を具備する防犯窓において、該網戸の室内側に該網戸を閉状態にして固定するロック機構を設け、該網戸の該ロック機構付近に侵入規制部材を設けたものである。
【０００７】
請求項３においては、前記侵入規制部材を面状部材とし、前記網戸の網と略同一面上に、水平及び鉛直方向に組み合わせた複数の棒状部材を配置し、該棒状部材によって仕切られた区画の一つに、該面状部材を該網と平行に配設したものである。
【０００８】
請求項４においては、前記面状部材を樹脂製あるいは強化ガラス製とし、該面状部材に彩色あるいは模様等を施したものである。
【０００９】
請求項５においては、前記面状部材を金属製とし、該面状部材にパンチング孔を穿孔したものである。
【００１０】
請求項６においては、前記棒状部材によって仕切られた２箇所以上の区画に、前記面状部材を配設したものである。
【００１１】
請求項７においては、前記侵入規制部材を直線形状あるいは曲線形状の棒状部材とし、前記網戸の網と略同一面内に配設し、該棒状部材の一部を前記ロック機構付近に配置したものである。
【００１２】
請求項８においては、前記棒状部材の形状を流線型とし、若しくは様々なモチーフ形状としたものである。
【発明の効果】
【００１３】
本発明の効果として、以下に示すような効果を奏する。
【００１４】
請求項１においては、ガラス戸を閉じている際に、不審者等がガラス戸のロック機構付近を破壊して外部からロック機構を解除しようとしても、侵入規制部材が邪魔になってロック機構付近には手を侵入させることができない。また、その際に侵入規制部材周辺の網が破られて、外部から網戸の内側に手を侵入させられた場合にも、該侵入規制部材が邪魔になってガラス戸のロックが解除され難い。不審者にとって網の切断は容易であるが、２度の破壊行為（ガラス戸の破壊と侵入規制部材の破壊）を行うことは容易でなく、ガラス戸の内側に侵入規制部材を設けることで不審者の侵入の虞を低減させることができる。即ち、本発明により、網戸を閉じたままの状態でガラス戸を開閉可能としつつ、不審者等によるガラス戸や網戸の破壊に対して顕著な防犯効果を実現することができるのである。
また、ガラス戸を人が通れない程度に開放して固定している際に、不審者等が外部からロック機構を解除しようとしても、侵入規制部材が邪魔になってロック機構付近には手を侵入させることができない。また、その際に侵入規制部材周辺の網が破られて、外部から網戸の内側に手を侵入させられた場合にも、該侵入規制部材が邪魔になってガラス戸のロックが解除され難い。つまり本発明により、ガラス戸を一定時間開放状態に置いても、不審者等に対する防犯効果を実現することができる。
【００１５】
請求項２においては、網戸のみを閉じている際に、不審者等が外部から手を侵入させようとしても、侵入規制部材が邪魔になってロック機構付近には手を侵入させることができない。またその際に侵入規制部材周辺の網が破られて、外部から網戸の内側に手を侵入させられた場合にも、該侵入規制部材が邪魔になって網戸のロックが解除され難い。つまり本発明により、網戸のみを閉じた状態に置いても、不審者等に対する防犯効果を実現することができる。
また、リフォーム等で従来の網戸と交換して設置する場合、交換作業が比較的簡易であり、安価で窓の防犯性能を高めることができる。
【００１６】
請求項３においては、不審者等が外部から手を侵入させようとしても、面状部材が邪魔になってロック機構付近には手を侵入できず、防犯効果を高めることができる。また面状部材周辺の網が破られ、外部から手を侵入させられた場合でも、該面状部材が邪魔になってロック機構が解除されにくく、防犯効果を高めることができる。
また、棒状部材の間隔、長さ、配置形態等を任意に組み合わせることで、窓全体をデザインされたインテリアやエクステリアとして利用できる。つまり、様々なバリエーションの窓を形成することができ、顧客ニーズに合わせたデザインの防犯窓を提供できる。
【００１７】
請求項４においては、該面状部材に自由に彩色あるいは模様等を施すことにより、防犯用としてだけでなく、窓にデザインを加えたインテリアやエクステリアとして利用できる。
【００１８】
請求項５においては、該面状部材に自由な位置・大きさ・形状で穿孔することにより、高強度の侵入規制部材としての防犯用上の効果だけでなく、窓にデザインを加えたインテリアやエクステリアとしても利用できる。
【００１９】
請求項６においては、ロック機構近傍だけでなく、他の区画にもカラフルな面状部材等を配設することにより、防犯用としてだけでなく、窓全体がデザインされたインテリアやエクステリアとして利用できる。また、該面状部材をロック機構近傍の面状部材と同様の形態とし、防犯窓全体を統一感のとれたデザインにすることができる。
さらに、該ロック機構だけでなく、他にもサブロック機構を配設し、該サブロック機構付近の区画に該面状部材を配設することで、二重錠としてより強固な防犯機能を具備することができる。
【００２０】
請求項７においては、不審者等が外部から手を侵入させようとしても、直線形状あるいは曲線形状の棒状部材が邪魔になってロック機構付近には手を侵入できず、防犯効果を高めることができる。また該棒状部材周辺の網が破られ、外部から手を侵入させられた場合でも、該棒状部材が邪魔になってロック機構が解除されにくく、防犯効果を高めることができる。
【００２１】
請求項８においては、前記棒状部材を流線型にしたり、様々なモチーフ形状に形成したりすることにより、防犯用としてだけでなく、窓全体がデザインされたインテリアやエクステリアとして利用できる。つまり、様々なデザインの窓を形成することができ、顧客ニーズに合わせた防犯窓を提供できる。
【発明を実施するための最良の形態】
【００２２】
次に、発明の実施の形態を説明する。なお、本発明の技術的範囲は実施例に限定されるものではなく、本明細書及び図面に記載した事項から明らかになる、本発明が真に意図する技術的思想の範囲全体に、広く及ぶものである。
図１は防犯窓の使用状態を示した正面図である。
図２は（ａ）は実施例１に係る防犯窓の正面図、（ｂ）は同じく背面図である。
図３は図２（ａ）におけるＡ−Ａ´断面図である。
図４は実施例２に係る防犯窓の正面図である。
図５は（ａ）は実施例３に係る防犯窓の正面図、（ｂ）は同じく背面図である。
図６は実施例４に係る防犯窓の正面図である。
【実施例１】
【００２３】
まず、本発明の実施例１に係る防犯窓１０の構成について、図１乃至図３を用いて説明する。なお説明の便宜上、以下では防犯窓１０の室内側を正面、屋外側を背面とし、図１における右側（室内から防犯窓に向かって右側）を右側、左側を左側とする。
図１に示すように、防犯窓１０は、住宅やオフィスの窓として壁１３の開口部に配置されるものである。具体的には、壁１３の開口部周縁には木枠１１が配設されて、該木枠１１の内周にサッシ枠１２が固設される。図３に示すように、該サッシ枠１２の屋外側にはガラス戸３０が回動して開閉可能に配設され、該ガラス戸３０の室内側には網戸１９が該サッシ枠１２に固定して配設される。本実施例中では、該ガラス戸３０は右側端部に回動軸を有しており、該ガラス戸３０が回動して開くと同時に該回動軸が左後方に移動するすべり出し窓とするが、左側端部に回動軸を有するすべり出し窓や、単に右あるいは左側端部で枢支された外開き窓や、若しくは左右に摺動する形態の窓であっても差し支えなく、本実施例の形態に限定するものではない。
【００２４】
図２及び図３に示すように、前記網戸１９は外周端を構成する網戸枠２０、該網戸枠２０の内周に張設される網２５等により構成される。該網戸１９はサッシ枠１２に固設されており、詳しくは、網戸枠２０の上端が上端固定ボルト２２ａ・２２ａによって上端固定部材２１ａ・２１ａを介してサッシ枠１２に固定され、該網戸枠２０の下端が下端固定ボルト２２ｂ・２２ｂによって下端固定部材２１ｂ・２１ｂを介してサッシ枠１２に固定される。本実施例における網戸１９は、上端固定ボルト２２ａ・２２ａ及び下端固定ボルト２２ｂ・２２ｂを回動して、該上端固定部材２１ａ・２１ａ及び下端固定部材２１ｂ・２１ｂに対する圧着力を緩めることにより、サッシ枠１２に対して取り外し可能に構成されている。
【００２５】
図２及び図３に示すように、前記サッシ枠１２下部の左右略中央部にはハンドルベース２８が室内方向に向かって突設され、該ハンドルベース２８上にはハンドル２６がさらに室内方向に向かって突設される。該ハンドル２６は正面視時計方向及び反時計方向に回動可能に構成されており、該ハンドル２６は図示しないワイヤーや連繋部材によって前記ガラス戸３０と連繋されている。具体的には、該ハンドル２６を図３中矢印Ｂの方向に回動させると該ガラス戸３０が図３中矢印Ｃの方向に回動して開き、該ハンドル２６を図３中矢印Ｂの逆方向に回動させると該ガラス戸３０が図３中矢印Ｃの逆方向に回動して閉じる構成になっている。なお、ガラス戸３０が摺動して開閉する形態の場合は、該ハンドル２６を回動させることによってガラス戸３０が摺動するものとする。また、該ハンドル２６の回動方向とガラス戸３０の開閉の関係は逆方向に対応するもの、即ちハンドル２６を矢印Ｂの方向に回動させるとガラス戸３０が矢印Ｃの逆方向に回動して閉じる構成でも良く、その構成は本実施例に限定されるものではない。
【００２６】
前記サッシ枠１２左側端部の上下略中央部にはハンドルロック２７が配置されており、該ハンドルロック２７は図示しないワイヤー等で前記ハンドル２６と連繋されている。そして、該ハンドルロック２７をロックしていない場合はハンドル２６を回動させることができ、ハンドルロック２７をロックした場合はハンドル２６を固定するように構成されている。即ち、ハンドルロック２７をロックすることにより、ガラス戸３０は閉状態から全開状態までの任意の位置で固定することが可能となる。
【００２７】
つまり、本実施例における防犯窓１０は、前記ハンドル２６の回動により該ハンドル２６と連繋している前記ガラス戸３０の回動や摺動等の開閉作業を行うことができるものである。そのため、ガラス戸３０が前記サッシ枠１２に固定された網戸１９等によって室内から遮蔽されていても、室内から該ハンドル２６の回動を固定したり、ハンドル２６とガラス戸３０とを連繋しているワイヤーや連繋部材を固定したり、前記ハンドルロック２７によってガラス戸３０の開閉をロックしたりすることによって、室内からガラス戸３０の開閉をロックすることができるのである。
【００２８】
図１乃至図３に示すように、前記網戸１９の外周端を構成する網戸枠２０の内側には網２５が張設されており、網戸枠２０の内側には該網２５と略同一平面上に水平及び鉛直方向に組み合わせた複数の金属製棒状部材２３・２３・・・が配置される。なお、棒状部材２３・２３・・・はアルミ等の金属製に限定するものではなく、樹脂製等でも良く、容易に破断不可能な程度の剛性を有していれば差し支えない。
詳しくは、本実施例における該棒状部材２３・２３・・・は、前記網２５とは離間されて網２５よりも室内側に配設されており、溶接やボルト締め等によって該網戸枠２０に固設されているものである。
【００２９】
そして、前記網戸枠２０の内側で、前記棒状部材２３・２３・・・によって仕切られた区画のうち、少なくとも前記ハンドルロック２７近傍の一区画には、前記網２５よりも室内側で網２５と平行に防犯意匠パネル２４ａが配置される。但し、該防犯意匠パネル２４ａは、網２５と同一面内に配置する構成としても良い。
【００３０】
本実施例においては、前記防犯意匠パネル２４ａを樹脂製若しくは強化ガラス製とし、該防犯意匠パネル２４ａに彩色あるいは模様等を施している。
詳しくは、網２５の室内側に棒状部材２３・２３・・・や防犯意匠パネル２４ａを配設する形態の場合には、室内側からの美観を高めるデザインを施すことが好ましく、網２５の屋外側に棒状部材２３・２３・・・や防犯意匠パネル２４ａを配設する形態の場合には、屋外側からの美観を高めるデザインを施すことが好ましい。そして、網２５の同一面上に、即ち棒状部材２３・２３・・・や防犯意匠パネル２４ａの間に網２５を張設する形態の場合には、室内側及び屋外側の両者からの美観を高めるデザインを施すことが好ましい。
ここで、防犯意匠パネル２４ａをアルミ等の金属製とし、該防犯意匠パネル２４ａにパンチング孔を複数穿孔する構成であっても良いものとする。
【００３１】
このように、サッシ枠１２に対して回動あるいは摺動することにより開閉可能に配設されたガラス戸３０と、該ガラス戸３０の室内側に該サッシ枠１２に対して固定された網戸１９と、を具備する防犯窓１０において、該網戸１９の室内側に該ガラス戸３０の回動あるいは摺動を固定するハンドルロック２７が設けられ、網戸１９の該ハンドルロック２７付近に防犯意匠パネル２４ａが設けられる。
これにより、該ガラス戸３０を閉じている際に、不審者等が該ガラス戸３０のハンドルロック２７付近を破壊して外部からハンドルロック２７を解除しようとしても、防犯意匠パネル２４ａが邪魔になってハンドルロック２７付近には手を侵入させることができない。また、その際に防犯意匠パネル２４ａ周辺の網２５が破られて、外部から網戸１９の内側に手を侵入させられた場合にも、該防犯意匠パネル２４ａが邪魔になってハンドルロック２７が解除され難い。不審者にとって、網２５の切断は容易であるが、二度の破壊行為（ガラス戸３０の破壊と防犯意匠パネル２４ａの破壊）を行うことは容易でなく、ガラス戸３０の内側に防犯意匠パネル２４ａを設けることで不審者の侵入の虞を低減させることができる。即ち、本発明により、網戸１９を閉じたままの状態でガラス戸３０を開閉可能としつつ、不審者等によるガラス戸３０や網戸１９の破壊に対して顕著な防犯効果を実現することができるのである。
また、該ガラス戸３０を人が通れない程度に開放して固定している際に、不審者等が外部からハンドルロック２７を解除しようとしても、防犯意匠パネル２４ａが邪魔になってハンドルロック２７付近には手を侵入させることができない。また、その際に防犯意匠パネル２４ａ周辺の網２５が破られて、外部から網戸１９の内側に手を侵入させられた場合にも、該防犯意匠パネル２４ａが邪魔になってハンドルロック２７が解除され難い。つまり本発明により、ガラス戸３０を一定時間開放状態に置いても、不審者等に対する防犯効果を実現することができる。
【００３２】
また、前記網戸１９の網２５と略同一面上に、水平及び鉛直方向に組み合わせた複数の棒状部材２３・２３・・・が配置され、該棒状部材２３・２３・・・によって仕切られた区画の一つに、前記防犯意匠パネル２４ａが該網２５と平行に配設される。
これにより、不審者等が外部から手を侵入させようとしても、該防犯意匠パネル２４ａが邪魔になってハンドルロック２７付近には手を侵入できず、防犯効果を高めることができる。また該防犯意匠パネル２４ａ周辺の網２５が破られ、外部から手を侵入させられた場合でも、該防犯意匠パネル２４ａが邪魔になってハンドルロック２７が解除されにくく、防犯効果を高めることができる。
また、該棒状部材２３・２３・・・の間隔、長さ、配置形態等を任意に組み合わせることで、窓全体をデザインされたインテリアやエクステリアとして利用できる。つまり、様々なバリエーションの窓を形成することができ、顧客ニーズに合わせたデザインの防犯窓１０を提供できる。
【００３３】
また、前記防犯意匠パネル２４ａは樹脂製あるいは強化ガラス製とされ、該該防犯意匠パネル２４ａには彩色あるいは模様等が施される。
これにより、該該防犯意匠パネル２４ａに自由に彩色あるいは模様等を施すことにより、防犯用としてだけでなく、防犯窓１０にデザインを加えたインテリアやエクステリアとして利用できる。
【００３４】
また、前記防犯意匠パネル２４ａは金属製とされ、該防犯意匠パネル２４ａはパンチング孔を穿孔されることもできる。
これにより、該防犯意匠パネル２４ａに自由な位置・大きさ・形状で穿孔することにより、高強度の侵入規制部材としての防犯用上の効果だけでなく、防犯窓１０にデザインを加えたインテリアやエクステリアとしても利用できる。
【００３５】
また、前記棒状部材２３・２３・・・によって仕切られた２箇所以上の区画に、前記防犯意匠パネル２４ａ及び意匠パネル２４ｂが配設される。
これにより図２（ａ）、（ｂ）に示すように、ハンドルロック２７近傍だけでなく、他の区画にもカラフルな意匠パネル２４ｂ等を配設することにより、防犯用としてだけでなく、窓全体がデザインされたインテリアやエクステリアとして利用できる。意匠パネル２４ｂは防犯意匠パネル２４ａと同様の形態とし、防犯窓１０全体を統一感のとれたデザインにすることができる。
さらに、ハンドルロック２７だけでなく、他にも図示しない防犯用ロックを配設し、該防犯用ロック付近の区画に防犯意匠パネル２４ａを配設することで、二重錠としてより強固な防犯機能を具備することができる。
【実施例２】
【００３６】
次に、本発明の実施例２における防犯窓１０の構成について、図４を用いて説明する。なお、実施例１と同一の形態や機能・用途を有する部材については同一の符号を付すものとし、該部材の説明は省略する。
【００３７】
本実施例における網戸１９は、網戸枠２０の右側端部がヒンジ３２・３２・３２を介してサッシ枠１２に対して枢支されており、左側端部に固設された取手３１を把持して手動で回動することにより開閉可能に構成されている。そして、網戸枠２０左側端部の上下略中央部には網戸ロック２９が配置されており、該網戸枠２０を閉状態でサッシ枠１２に固定可能に構成されている。本実施例においては、該網戸枠２０は回動して開閉する構成としているが、二枚の網戸枠２０・２０を左右方向に摺動して開閉可能とし、両者の位置関係を固定することによって網戸枠２０・２０を固定する構成とすることも可能である。また、該網戸枠２０の屋外側には実施例１と同様に図示しないガラス戸が配置されるが、該ガラス戸に関してはすべり出し窓に限らず、外開き窓、摺動する形態の窓等、あらゆる形態を採用することができる。
【００３８】
実施例１と同様に、前記網戸枠２０には網２５が張設され、前記網戸１９の網２５と略同一面上に、水平及び鉛直方向に組み合わせた複数の棒状部材２３・２３・・・が配置される。該網戸枠２０の内側で、前記棒状部材２３・２３・・・によって仕切られた区画のうち、少なくとも前記網戸ロック２９近傍の一区画には、前記網２５よりも室内側で網２５と平行に防犯意匠パネル２４ａが配置される。
【００３９】
このように、サッシ枠１２に対して回動あるいは摺動することにより開閉可能に配設された網戸１９を具備する防犯窓１０において、該網戸１９の室内側に該網戸１９を閉状態にして固定する網戸ロック２９が設けられ、該網戸ロック２９付近に防犯意匠パネル２４ａが設けられる。
これにより、網戸１９のみを閉じている際に、不審者等が外部から手を侵入させようとしても、防犯意匠パネル２４ａが邪魔になって網戸ロック２９付近には手を侵入させることができない。またその際に該防犯意匠パネル２４ａ周辺の網２５が破られて、外部から網戸１９の内側に手を侵入させられた場合にも、該防犯意匠パネル２４ａが邪魔になって網戸ロック２９が解除され難い。つまり本発明により、網戸１９のみを閉じた状態に置いても、不審者等に対する防犯効果を実現することができる。
【実施例３】
【００４０】
次に、本発明の実施例３における防犯窓１０の構成について、図５を用いて説明する。なお、実施例１及び実施例２と同一の構成部材については同一の符号を付し、説明を省略する。また、本実施例における網戸枠２０に関しては、実施例１の固定式あるいは実施例２の可動式いずれの形態をとることも可能であり、それぞれの詳細部分については説明を省略する。
【００４１】
本実施例における網戸枠２０には網２５が張設されており、網戸枠２０の内側には該網２５と略同一平面内に金属製の曲線形状の棒状部材４１・４１・・・が、その中途部がロック機構３３付近に位置するように、配設される。該棒状部材４１・４１は図５と異なる直線形状であっても良く、またその材質は樹脂製等でも良く、容易に破断不可能な程度の剛性を有していれば差し支えない。
【００４２】
これにより、不審者等が外部から手を侵入しようとした場合でも、ロック機構３３付近は棒状部材４１・４１・・・が邪魔になって手を侵入されず、防犯効果を高めることができる。また該棒状部材４１・４１・・・周辺の網２５が破られ、外部から手を侵入された場合でも、ロック機構３３近傍の該棒状部材４１・４１・・・が邪魔になってロック機構３３が解除され難く、その結果、ガラス戸３０が開放され難く、防犯効果を高めることができる。
【実施例４】
【００４３】
次に、本発明の実施例４における防犯窓１０の構成について、図６を用いて説明する。なお、実施例１及び実施例２と同一の構成部分については同一の符号を付し、説明を省略する。また、本実施例についても網戸枠２０に関しては、実施例１の固定式あるいは実施例２の可動式いずれの形態をとることも可能であり、それぞれの詳細部分については説明を省略する。
【００４４】
本実施例における網戸枠２０には網２５が張設され、網戸枠２０の内側には実施例３と同様に該網２５と略同一平面内に金属製の曲線形状の棒状部材５１・５１・・・が、その中途部がロック機構３３付近に位置するように、配設される。該棒状部材５１・５１・・・は図６と異なる直線形状であっても良く、またその材質は樹脂製等でも良く、容易に破断不可能な程度の剛性を有していれば差し支えない。
【００４５】
実施例３及び実施例４に示したように、侵入規制部材は直線形状あるいは曲線形状の棒状部材４１・４１・・・（５１・５１・・・）とされ、前記網戸１９の網２５と略同一面内に配設され、該棒状部材４１・４１・・・（５１・５１・・・）の一部が前記ロック機構３３付近に配置されている。
これにより、不審者等が外部から手を侵入させようとしても、直線形状あるいは曲線形状の棒状部材４１・４１・・・（５１・５１・・・）が邪魔になってロック機構３３付近には手を侵入できず、防犯効果を高めることができる。また該棒状部材４１・４１・・・（５１・５１・・・）周辺の網２５が破られ、外部から手を侵入させられた場合でも、該棒状部材４１・４１・・・（５１・５１・・・）が邪魔になってロック機構３３が解除されにくく、防犯効果を高めることができる。
【００４６】
また、前記棒状部材４１・４１・・・（５１・５１・・・）の形状を流線型としたり、若しくは様々なモチーフ形状としたりすることができる。
これにより、防犯用としてだけでなく、窓全体がデザインされたインテリアやエクステリアとして利用できる。つまり、様々なデザインの窓を形成することができ、顧客ニーズに合わせた防犯窓１０を提供できる。
【図面の簡単な説明】
【００４７】
【図１】防犯窓の使用状態を示した正面図。
【図２】（ａ）は実施例１に係る防犯窓の正面図、（ｂ）は同じく背面図。
【図３】図２（ａ）におけるＡ−Ａ´断面図。
【図４】実施例２に係る防犯窓の正面図。
【図５】（ａ）は実施例３に係る防犯窓の正面図、（ｂ）は実施例３に係る防犯窓の背面図。
【図６】実施例４に係る防犯窓の正面図。
【符号の説明】
【００４８】
１０    防犯窓
１９    網戸
２０    網戸枠
２３    格子
２４ａ  防犯意匠パネル
２４ｂ  意匠パネル
２５    網
２６    ハンドル
２７    ハンドルロック
４１    棒状部材
５１    棒状部材
【図１】
2008163549.tif 000003
【図２】
2008163549.tif 000004
【図３】
2008163549.tif 000005
【図４】
2008163549.tif 000006
【図５】
2008163549.tif 000007
【図６】
2008163549.tif 000008